(57)【要約】【課題】  信号光の方路切替を行うフォトニックネットワークにおいて、各波長パスと監視制御情報の対応関係を確認しながら大容量の監視制御情報を転送することである。【解決手段】  送信端局装置２０１−１は、各波長パスの光主信号に監視制御情報を重畳して多重化し、さらに専用波長の監視制御情報と合波して送信する。ＨＵＢノード装置２０２の受信器２１８−１は、専用波長の監視制御情報を受信し、受信器２１３−４は、出力信号光の光主信号に重畳された監視制御情報を抽出する。ＥＭＳ２１１−３は、抽出された監視制御情報を用いて、出力信号光と専用波長の監視制御情報が対応しているか否かを確認し、送信器２１２−４は、出力信号光と対応している監視制御情報を専用波長で送信する。【選択図】図２
2006262385.tif 000002
【特許請求の範囲】
【請求項１】
複数の入力ポートと複数の出力ポートを有し、該複数の入力ポートのうちの１つから入力された信号光を該複数の出力ポートのうちの１つから出力するノード装置であって、
入力ポートから信号光とともに入力される、該信号光とは異なる専用波長の監視制御情報を受信する受信手段と、
出力ポートから出力される信号光から、該信号光の光主信号に重畳された情報を抽出する抽出手段と、
抽出された情報を用いて、前記出力される信号光と監視制御情報が対応しているか否かを確認し、該出力される信号光と対応している監視制御情報を出力する制御手段と、
前記制御手段から出力された監視制御情報を、前記専用波長で前記出力ポートから送信する送信手段と
を備えることを特徴とするノード装置。
【請求項２】
前記制御手段は、前記抽出された情報と監視制御情報を比較して、前記出力される信号光と該監視制御情報が対応しているか否かを確認し、該信号光と該監視制御情報が対応していれば、該監視制御情報を前記送信手段に出力することを特徴とする請求項１記載のノード装置。
【請求項３】
前記入力ポートから入力される監視制御情報は、入力される信号光と該監視制御情報が対応しているか否かを示す整合情報を含み、前記制御手段は、該整合情報が該入力される信号光と該監視制御情報が対応していることを示すとき、該監視制御情報を前記抽出された情報と比較することを特徴とする請求項２記載のノード装置。
【請求項４】
前記制御手段は、前記信号光と前記監視制御情報が対応していなければ、該信号光に対応している監視制御情報を検索して前記送信手段に出力することを特徴とする請求項２記載のノード装置。
【請求項５】
前記入力ポートから入力される信号光から、該信号光の光主信号に重畳された情報を抽出する抽出手段をさらに備え、前記制御手段は、該入力される信号光から抽出された情報と前記出力される信号光から抽出された情報を比較して、該出力される信号光と前記監視制御情報が対応しているか否かを確認し、該信号光と該監視制御情報が対応していれば、該監視制御情報を前記送信手段に出力することを特徴とする請求項１記載のノード装置。
【請求項６】
信号光の監視制御情報と、該信号光と該監視制御情報が対応しているか否かを確認するための情報とを生成する生成手段と、
前記監視制御情報を前記信号光とは異なる専用波長で出力ポートから送信する第１の送信手段と、
前記信号光の光主信号に前記確認するための情報を重畳して、前記出力ポートから送信する第２の送信手段と
を備えることを特徴とするノード装置。
【請求項７】
入力ポートから信号光とともに入力される、該信号光とは異なる専用波長の監視制御情報を受信する第１の受信手段と、
前記入力ポートから入力される信号光から、該信号光の光主信号に重畳された情報を抽出する抽出手段と、
抽出された情報を用いて、前記信号光と前記監視制御情報が対応しているか否かを確認する確認手段と
を備えることを特徴とするノード装置。
【請求項８】
信号光の監視制御情報と、該信号光と該監視制御情報が対応しているか否かを確認するための情報とを生成し、
前記監視制御情報を前記信号光とは異なる専用波長で送信するとともに、該信号光の光主信号に前記確認するための情報を重畳して送信し、
送信された信号光から前記光主信号に重畳された情報を抽出し、
抽出された情報を用いて、前記信号光と前記監視制御情報が対応しているか否かを確認する
ことを特徴とする監視制御情報転送方法。
【発明の詳細な説明】
【技術分野】
【０００１】
本発明は、リング相互接続やメッシュ等の多様なネットワークトポロジ構成を有し、多種多様なサービスの信号を収容して伝送するフォトニックネットワークにおいて、監視制御情報を転送するノード装置に関する。
【背景技術】
【０００２】
従来、フォトニックネットワークシステムのネットワークトポロジ構成は、point-to-pointであった。しかし、近年、光電変換することなく光のままで信号の方路切替を実現するＯＡＤＭ（Optical Add/Drop Multiplexing ）ノードやＨＵＢノードを用いて、リングトポロジやメッシュトポロジを持つフォトニックネットワークシステムの構築が検討されている。
【０００３】
また、フォトニックネットワーク中を伝送される信号種別も、従来のＳＯＮＥＴ（Synchronous Optical Network ）／ＳＤＨ（Synchronous Digital Hierarchy ）ばかりではなく、ＯＴＮ（Optical Transport Network ）、Ethernet（登録商標）、ＦＣ（Fiber Channel ）等が加わり、多種多様になってきている。
【０００４】
フォトニックネットワークは、例えば、波長分割多重（Wavelength Division Multiplexing，ＷＤＭ）信号の光送受信端局装置、光ＨＵＢノード装置、光増幅中継装置、および、これらのノード装置を接続する伝送路である光ファイバから構成される。
【０００５】
各ノード装置は、装置の運用管理を行うＥＭＳ（Equipment Management System ）を備え、各ＥＭＳは、フォトニックネットワークを統合管理するＮＭＳ（Network Management System ）に接続されている。各ノード装置へ転送される監視制御情報は、ＮＭＳまたはＥＭＳにより管理される。
【０００６】
また、フォトニックネットワークでは、各信号光波長をパスの単位（波長パスと呼ぶ）として、波長パス単位で光方路切替制御が行われる。各波長パスでは、例えば、ＳＯＮＥＴ、ＳＤＨ、ＯＴＮ、Ethernet（登録商標）、ＦＣ等のフォーマットによって情報が伝送される。
【０００７】
ここで、各波長パスの監視制御情報を転送する方式としては、主に次の２方式がある（例えば、下記の特許文献１を参照）。
（１）専用波長方式
ＷＤＭ信号の信号波長帯域外に監視制御のための専用波長を割り当て、ノード装置毎に監視制御情報の電気終端を行いながら監視制御情報を転送する。この専用波長はＯＳＣ（Optical Supervisory Channel ）と呼ばれ、ｎ波多重のＷＤＭ信号の監視制御情報を転送するために用いられる。
（２）主信号重畳方式
各波長パスの光送信端局において、光主信号のビットレートよりも十分に低速なビットレートの監視制御情報をサブキャリアにより変調した後に、光主信号に重畳して転送する。
【０００８】
図１３は、上述した専用波長方式のフォトニックネットワークの例を示している。このネットワークは、送信端局装置１１−１、１１−２、ＨＵＢノード装置１２、および受信端局装置１３−１、１３−２からなる。
【０００９】
送信端局装置１１−１は、ＥＭＳ２１−１および送信器（ＯＳＣ−Ｓ）２２−１を含み、送信端局装置１１−２は、ＥＭＳ２１−２および送信器（ＯＳＣ−Ｓ）２２−２を含む。受信端局装置１３−１は、ＥＭＳ２１−４および受信器（ＯＳＣ−Ｒ）２３−３を含み、受信端局装置１３−２は、ＥＭＳ２１−５および受信器（ＯＳＣ−Ｒ）２３−４を含む。
【００１０】
また、ＨＵＢノード装置１２は、ＥＭＳ２１−３、受信器（ＯＳＣ−Ｒ）２３−１、２３−２、送信器（ＯＳＣ−Ｓ）２２−３、２２−４、および光方路切替スイッチ２４を含む。ＯＳＣ−ＳおよびＯＳＣ−Ｒは、それぞれ、専用波長方式による監視制御情報の送信器および受信器であり、この監視制御信号は各ノード装置において生成／終端される。
【００１１】
送信端局装置１１−１から送出された波長パスＡの信号光３１と、送信端局装置１１−２から送出された波長パスＢの信号光３２は、ＨＵＢノード装置１２の光方路切替スイッチ２４を介して受信端局装置１３−２に送信される。
【００１２】
このとき、ＥＭＳ２１−１は、ＯＳＣ上の波長パスＡの監視制御情報３３を生成し、送信器２２−１および受信器２３−１を介してＥＭＳ２１−３に転送し、ＥＭＳ２１−２は、ＯＳＣ上の波長パスＢの監視制御情報３４を生成し、送信器２２−２および受信器２３−２を介してＥＭＳ２１−３に転送する。ＥＭＳ２１−３は、受信した監視制御情報３３および３４を送信器２２−４および受信器２３−４を介してＥＭＳ２１−５に転送する。
【００１３】
このように、専用波長方式では、ＨＵＢノード装置１２において光主信号と同様に監視制御情報の方路切替が行われる。
図１４は、上述した主信号重畳方式のフォトニックネットワークの例を示している。このネットワークは、送信端局装置５１−１、５１−２、ＨＵＢノード装置５２、および受信端局装置５３−１、５３−２からなる。
【００１４】
送信端局装置５１−１は、ＥＭＳ６１−１、受信器（ＳＣ−Ｒｏ）６３−１、および複数の送信器（ＳＣＭ）を含み、送信端局装置５１−２は、ＥＭＳ６１−２、受信器（ＳＣ−Ｒｏ）６３−２、および複数の送信器（ＳＣＭ）を含む。受信端局装置５３−１は、ＥＭＳ６１−４および受信器（ＳＣ−Ｒｉ）６４−３を含み、受信端局装置５３−２は、ＥＭＳ６１−５および受信器（ＳＣ−Ｒｉ）６４−４を含む。
【００１５】
また、ＨＵＢノード装置５２は、ＥＭＳ６１−３、受信器（ＳＣ−Ｒｉ）６４−１、６４−２、受信器（ＳＣ−Ｒｏ）６３−３、６３−４、および光方路切替スイッチ６５を含む。ＳＣＭは、主信号重畳方式による監視制御情報の送信器であり、各波長パス毎に監視制御信号を光主信号に重畳する。ＳＣ−ＲｏおよびＳＣ−Ｒｉは、主信号重畳方式による監視制御情報の受信器であり、光主信号に重畳された監視制御情報を抽出する。
【００１６】
送信端局装置５１−１から送出された波長パスＡの信号光７１と、送信端局装置５１−２から送出された波長パスＢの信号光７２は、ＨＵＢノード装置５２の光方路切替スイッチ６５を介して受信端局装置５３−２に送信される。
【００１７】
このとき、ＥＭＳ６１−１は、波長パスＡの監視制御情報７３を生成し、送信器６２−１は、その監視制御情報７３を波長パスＡの光主信号に重畳する。また、ＥＭＳ６１−２は、波長パスＢの監視制御情報７４を生成し、送信器６２−２は、その監視制御情報７４を波長パスＡの光主信号に重畳する。このように、主信号重畳方式では、監視制御情報が光主信号に重畳されて転送される。
【特許文献１】特開平０９−２４７１０６号公報
【発明の開示】
【発明が解決しようとする課題】
【００１８】
上述した従来の監視制御情報転送方式には、次のような問題がある。
フォトニックネットワークのＨＵＢノード装置においては、その装置に接続されている任意の入力側経路より入力された各波長パスが所望の出力側経路に接続されるように、光ＭＥＭＳ（Micro Electro Mechanical Systems）スイッチや波長選択スイッチを用いて方路切替制御が行われる。
【００１９】
このとき、専用波長方式では、各波長パスとその波長パスに対する監視制御情報が同じ出力側経路に接続されるように、その波長パスの光主信号とともにその波長パスの監視制御情報の方路切替制御を行う必要がある。しかし、専用波長方式では、各波長パスの光主信号と監視制御情報が異なる波長で伝送されるので、両者が対応し、かつ、同じ出力側経路に両者が接続されるかを確認する手段が必要となる。
【００２０】
一方、主信号重畳方式では、各波長パスの光主信号とその波長パスに対する監視制御情報が同一の波長で伝送されるため、上記のように光主信号と監視制御情報が対応しているか否かを確認する必要はない。
【００２１】
しかし、主信号重畳方式では、監視制御情報のビットレートが光主信号のビットレートよりも十分に低速である必要があり、一般的に数百ｂｐｓから数ｋｂｐｓ程度である。このため、伝送可能な監視制御情報は制限される。
【００２２】
また、主信号重畳方式では、図１４に示したように、各波長パスの送信端局のみで監視制御情報を生成可能である場合が多く、各波長パスが通過するノード装置において監視制御情報を更新することが難しい。したがって、波長パスの経路に沿って情報の更新が必要な監視制御情報の転送には不向きである。
【００２３】
本発明の第１の課題は、信号光の方路切替を行うフォトニックネットワークにおいて、各波長パスと監視制御情報の対応関係を確認しながら大容量の監視制御情報を転送することである。
【００２４】
本発明の第２の課題は、各波長パスが通過するノード装置において、各波長パスと監視制御情報の対応関係を確認しながら監視制御情報を更新することである。
【課題を解決するための手段】
【００２５】
図１は、本発明のノード装置の原理図である。図１のノード装置は、複数の入力ポートと複数の出力ポートを有し、それらの入力ポートのうちの１つから入力された信号光をそれらの出力ポートのうちの１つから出力する。このノード装置は、受信手段１０１、抽出手段１０２、制御手段１０３、および送信手段１０４を備える。
【００２６】
受信手段１０１は、入力ポート１１１から信号光とともに入力される、信号光とは異なる専用波長の監視制御情報を受信する。抽出手段１０２は、出力ポート１１２から出力される信号光から、その信号光の光主信号に重畳された情報を抽出する。制御手段１０３は、抽出された情報を用いて、出力される信号光と監視制御情報が対応しているか否かを確認し、出力される信号光と対応している監視制御情報を出力する。送信手段１０４は、制御手段１０３から出力された監視制御情報を、専用波長で出力ポート１１２から送信する。
【００２７】
入力ポート１１１から信号光と監視制御情報が入力されると、監視制御情報は受信手段１０１により受信され、制御手段１０３に転送される。また、出力される信号光の光主信号に重畳された情報は抽出手段１０２により抽出され、制御手段１０３に転送される。制御手段１０３は、抽出手段１０２から受け取った情報を用いて、出力される信号光と受信手段１０１から受け取った監視制御情報が対応しているか否かを確認する。そして、信号光と対応していることが確認された監視制御情報が、送信手段１０４により専用波長で送信される。
【００２８】
受信手段１０１は、例えば、後述する図２の受信器２１８−１、２１８−２、または図３の受信器３１８−１に対応し、抽出手段１０２は、例えば、図２の受信器２１３−３、２１３−４、または図３の受信器３１３−２に対応する。制御手段１０３は、例えば、図２のＥＭＳ２１１−３または図３のＥＭＳ３１１−２に対応し、送信手段１０４は、例えば、図２の受信器２１２−３、２１２−４、または図３の受信器３１２−２に対応する。
【発明の効果】
【００２９】
本発明によれば、複数の入力ポートと複数の出力ポートを有するＨＵＢノード装置やＯＡＤＭノード装置等のノード装置において、専用波長方式による大容量の監視制御情報を転送することができ、かつ、各波長パスの信号光と監視制御情報の対応関係を確認することができる。
【００３０】
また、専用波長方式で監視制御情報を転送することにより、各波長パスが通過するノード装置において容易に監視制御情報を更新することができる。
【発明を実施するための最良の形態】
【００３１】
以下、図面を参照しながら、本発明を実施するための最良の形態を詳細に説明する。
本実施形態のフォトニックネットワークでは、ＷＤＭ信号の信号波長帯域外に設定した監視制御用の専用波長により大容量の監視制御情報を転送するための通信路を提供し、かつ、その専用波長により転送される監視制御情報の正常性を各波長パスの光主信号に重畳されて転送される監視制御情報を用いて確認する。
【００３２】
図２は、実施形態のフォトニックネットワークの例を示している。このネットワークは、送信端局装置２０１−１、２０１−２、ＨＵＢノード装置２０２、および受信端局装置２０３−１、２０３−２からなる。各送信端局装置とＨＵＢノード装置２０２は光ファイバにより接続され、ＨＵＢノード装置２０２と各受信端局装置も光ファイバにより接続されている。
【００３３】
送信端局装置２０１−１は、ＥＭＳ２１１−１、送信器（ＯＳＣ−Ｓ）２１２−１、受信器（ＳＣ−Ｒｏ）２１３−１、送信器（ＳＣＭ）２３１−１〜２３１−ｎ、マルチプレクサ２１４−１、２１７−１、光増幅器２１５−１、および光カプラ２１６−１を含む。
【００３４】
送信端局装置２０１−２は、ＥＭＳ２１１−２、送信器（ＯＳＣ−Ｓ）２１２−２、受信器（ＳＣ−Ｒｏ）２１３−２、送信器（ＳＣＭ）２３２−１〜２３２−ｎ、マルチプレクサ２１４−２、２１７−２、光増幅器２１５−２、および光カプラ２１６−２を含む。
【００３５】
受信端局装置２０３−１は、ＥＭＳ２１１−４、受信器（ＯＳＣ−Ｒ）２１８−３、受信器（ＳＣ−Ｒｉ）２１９−３、デマルチプレクサ２２０−３、２２１−１、光増幅器２１５−７、および光カプラ２１６−７を含む。
【００３６】
受信端局装置２０３−２は、ＥＭＳ２１１−５、受信器（ＯＳＣ−Ｒ）２１８−４、受信器（ＳＣ−Ｒｉ）２１９−４、デマルチプレクサ２２０−４、２２１−２、光増幅器２１５−８、および光カプラ２１６−８を含む。
【００３７】
また、ＨＵＢノード装置２０２は、ＷＤＭ信号が入力される２つの入力ポートとＷＤＭ信号を出力する２つの出力ポートを有し、ＥＭＳ２１１−３、受信器（ＯＳＣ−Ｒ）２１８−１、２１８−２、送信器（ＯＳＣ−Ｓ）２１２−３、２１２−４、受信器（ＳＣ−Ｒｏ）２１３−３、２１３−４、受信器（ＳＣ−Ｒｉ）２１９−１、２１９−２、デマルチプレクサ２２０−１、２２０−２、マルチプレクサ２１７−３、２１７−４、光増幅器２１５−３、２１５−４、２１５−５、２１５−６、光カプラ２１６−３、２１６−４、２１６−５、２１６−６、および光方路切替スイッチ２２２を含む。
【００３８】
ＥＭＳ２１１−３は、コントローラ２４１、監視制御情報スイッチ部２４２、および比較器２４３〜２４６を含む。
送信端局装置２０１−１から送出された波長パスＡの信号光２５１と、送信端局装置２０１−２から送出された波長パスＢの信号光２５２は、ＨＵＢノード装置２０２の光方路切替スイッチ２２２を介して受信端局装置２０３−２に送信される。光方路切替スイッチ２２２は、２入力２出力のスイッチであり、波長毎に光のままで信号光の方路切替を行う。
【００３９】
このとき、送信端局装置２０１−１において、ＥＭＳ２１１−１は、専用波長方式による波長パスＡの監視制御情報２５３および主信号重畳方式による波長パスＡの監視制御情報２５４を生成し、それぞれ送信器２１２−１および送信器２３１−１に転送する。送信器２１２−１は、電気信号として受け取った監視制御情報２５３を専用波長の光信号に変換してマルチプレクサ２１７−１に出力する。送信器２３１−１は、受け取った監視制御情報２５４を波長パスＡの光主信号に重畳してマルチプレクサ２１４−１に出力する。
【００４０】
マルチプレクサ２１４−１は、送信器２３１−１〜２３１−ｎからのｎ個の波長パスの信号光を多重化する。マルチプレクサ２１４−１の出力は、光増幅器２１５−１を介して光カプラ２１６−１に入力され、２つに分岐する。光カプラ２１６−１の一方の出力は受信器２１３−１に入力され、他方の出力はマルチプレクサ２１７−１に入力される。マルチプレクサ２１７−１は、送信器２１２−１の出力と光カプラ２１６−１の出力を合波して、ＨＵＢノード装置２０２と接続された光ファイバに出力する。
【００４１】
送信端局装置２０１−２においても同様にして、専用波長方式による波長パスＢの監視制御情報および主信号重畳方式による波長パスＢの監視制御情報が生成され、後者は光主信号に重畳され、前者は信号光と合波されて、ＨＵＢノード装置２０２に転送される。
【００４２】
ＨＵＢノード装置２０２において、デマルチプレクサ２２０−１は、送信端局装置２０１−１からの波長パスＡの信号光が入力される入力ポートに接続されており、信号光２５１と専用波長方式による監視制御情報２５３を分波する。信号光２５１は光増幅器２１５−３を介して光カプラ２１６−３に入力されて、２つに分岐し、監視制御情報２５３は受信器２１８−１に入力される。光カプラ２１６−３の一方の出力は光方路切替スイッチ２２２に入力され、他方の出力は受信器２１９−１に入力される。
【００４３】
受信器２１８−１は、光信号として受け取った監視制御情報２５３を電気信号に変換してＥＭＳ２１１−３に転送し、受信器２１９−１は、光主信号に重畳された監視制御情報２５４を抽出してＥＭＳ２１１−３に転送する。
【００４４】
波長パスＢについても同様にして、信号光２５２と専用波長方式による監視制御情報が分波され、監視制御情報は受信器２１８−２に入力され、信号光は光方路切替スイッチ２２２と受信器２１９−２に入力される。そして、専用波長方式による監視制御情報および主信号重畳方式による監視制御情報がＥＭＳ２１１−３に転送される。
【００４５】
光方路切替スイッチ２２２の一方の出力は、光増幅器２１５−６を介して光カプラ２１６−６に入力され、２つに分岐する。光カプラ２１６−６の一方の出力は、マルチプレクサ２１７−４に入力され、他方の出力は受信器２１３−４に入力される。
【００４６】
受信器２１３−４は、波長パスＡの光主信号に重畳された監視制御情報２５４を抽出してＥＭＳ２１１−３に転送する。送信器２１２−４は、ＥＭＳ２１１−３から電気信号として受け取った監視制御情報２５３を専用波長の光信号に変換して、マルチプレクサ２１７−４に出力する。マルチプレクサ２１７−４は、送信器２１２−４の出力と光カプラ２１６−６の出力を合波して、受信端局装置２０３−２と接続された光ファイバに出力する。
【００４７】
波長パスＢについても同様にして、受信器２１３−４により、主信号重畳方式による監視制御情報がＥＭＳ２１１−３に転送され、送信器２１２−４およびマルチプレクサ２１７−４により、専用波長方式による監視制御情報が信号光２５２と合波される。
【００４８】
また、光方路切替スイッチ２２２の他方の出力についても同様にして、受信器２１３−３により、主信号重畳方式による監視制御情報がＥＭＳ２１１−３に転送される。そして、送信器２１２−３およびマルチプレクサ２１７−３により、専用波長方式による監視制御情報が信号光と合波され、受信端局装置２０３−１と接続された光ファイバに出力される。
【００４９】
ＥＭＳ２１１−３の監視制御情報スイッチ部２４２は、光方路切替スイッチ２２２と同様に２入力２出力のスイッチとして機能し、ＥＭＳ２１１−３に入力された専用波長方式による監視制御情報を、信号光と同じ出力ポートに対応する方路へと出力する。
【００５０】
比較器２４３は、受信器２１８−１から受け取った専用波長方式による監視制御情報２５３と、受信器２１９−１から受け取った主信号重畳方式による監視制御情報２５４を比較する。これにより、波長パスＡの入力ポートに入力された専用波長方式による監視制御情報２５３と波長パスＡの信号光が対応しているか否かを確認することができる。比較器２４３は、監視制御情報の比較結果と専用波長方式による監視制御情報２５３をコントローラ２４１に出力するとともに、専用波長方式による監視制御情報２５３を監視制御情報スイッチ部２４２に出力する。
【００５１】
同様にして、比較器２４４は、他方の入力ポートに入力された専用波長方式による監視制御情報と主信号重畳方式による監視制御情報を比較し、比較結果と専用波長方式による監視制御情報をコントローラ２４１に出力するとともに、専用波長方式による監視制御情報を監視制御情報スイッチ部２４２に出力する。
【００５２】
コントローラ２４１は、受け取った比較結果および監視制御情報に基づいて監視制御情報スイッチ部２４２を制御し、専用波長方式による監視制御情報を信号光と同じ出力ポートに対応する方路へ出力させる。
【００５３】
比較器２４６は、監視制御情報スイッチ部２４２から出力された専用波長方式による監視制御情報２５３と、受信器２１３−４から受け取った主信号重畳方式による監視制御情報２５４を比較する。これにより、波長パスＡの信号光と、その信号光と同じ出力ポートから出力される専用波長方式による監視制御情報２５３が対応しているか否かを確認することができる。比較器２４６は、監視制御情報の比較結果をコントローラ２４１に出力するとともに、専用波長方式による監視制御情報２５３を送信器２１２−４に出力する。
【００５４】
同様にして、比較器２４６は、波長パスＢの専用波長方式による監視制御情報と主信号重畳方式による監視制御情報を比較し、比較結果をコントローラ２４１に出力するとともに、専用波長方式による監視制御情報を送信器２１２−４に出力する。
【００５５】
また、比較器２４５は、監視制御情報スイッチ部２４２から出力された専用波長方式による監視制御情報と、受信器２１３−３から受け取った主信号重畳方式による監視制御情報２５４を比較する。そして、比較結果をコントローラ２４１に出力するとともに、専用波長方式による監視制御情報を送信器２１２−３に出力する。
【００５６】
このように、専用波長方式による監視制御情報と主信号重畳方式による監視制御情報を比較することにより、入力ポート／出力ポートを通過する各波長パスの信号光と専用波長方式による監視制御情報が対応しているか否かを確認することができる。これらが対応していれば、その監視制御情報は正常と判定される。
【００５７】
一方、信号光と専用波長方式による監視制御情報が対応していない場合は、コントローラ２４１が監視制御情報を訂正した後に、監視制御情報スイッチ部２４２を介して送信器２１２に転送する。こうして、監視制御情報の正常性が確保され、フォトニックネットワークの運用管理が高信頼化される。
【００５８】
ＥＭＳ２１１−１、２１１−２、２１１−４、および２１１−５はコントローラと１つの比較器を含み、ＥＭＳ２１１−３と同様に、入力ポート／出力ポートを通過する監視制御情報の正常性を確認する機能を有する。
【００５９】
図３は、別の実施形態のフォトニックネットワークの例を示している。このネットワークは、送信端局装置３０１、ＯＡＤＭノード装置３０２、および受信端局装置３０３からなる。送信端局装置３０１とＯＡＤＭノード装置３０２は光ファイバにより接続され、ＯＡＤＭノード装置３０２と受信端局装置３０３も光ファイバにより接続されている。
【００６０】
送信端局装置３０１は、ＥＭＳ３１１−１、送信器（ＯＳＣ−Ｓ）３１２−１、受信器（ＳＣ−Ｒｏ）３１３−１、送信器（ＳＣＭ）３３１−１〜３３１−ｎ、マルチプレクサ３１４、３１７−１、光増幅器３１５−１、および光カプラ３１６−１を含む。
【００６１】
受信端局装置３０３は、ＥＭＳ３１１−３、受信器（ＯＳＣ−Ｒ）３１８−２、受信器（ＳＣ−Ｒｉ）３１９−２、デマルチプレクサ３２０−２、３２１、光増幅器３１５−４、および光カプラ３１６−６を含む。
【００６２】
また、ＯＡＤＭノード装置３０２は、送信端局装置３０１からＷＤＭ信号が入力される入力ポートと、受信端局装置３０３へＷＤＭ信号を出力する出力ポートと、２つの分岐用出力ポートと、２つの挿入用入力ポートを有する。そして、ＥＭＳ３１１−２、受信器（ＯＳＣ−Ｒ）３１８−１、送信器（ＯＳＣ−Ｓ）３１２−２、受信器（ＳＣ−Ｒｏ）３１３−２、３１３−３、３１３−４、送信器（ＳＣＭ）３３２−１、３３２−２、受信器（ＳＣ−Ｒｉ）３１９−１、デマルチプレクサ３２０−１、マルチプレクサ３１７−２、光増幅器３１５−２、３１５−３、光カプラ３１６−２、３１６−３、３１６−４、３１６−５、および光分岐挿入スイッチ３２２を含む。
【００６３】
ＥＭＳ３１１−２は、コントローラ３４１、監視制御情報スイッチ部３４２、および比較器３４３、３４４を含む。
送信端局装置３０１から出力されたＷＤＭ信号は、ＯＡＤＭノード装置３０２を介して受信端局装置３０３へ転送される。このとき、光分岐挿入スイッチ３２２は、一部の波長パスの信号光を分岐（Ｄｒｏｐ）したり、新たな波長パスの信号光を挿入（Ａｄｄ）したりすることができる。
【００６４】
ＥＭＳ３１１−２は、図２のＥＭＳ２１１−３と同様に、専用波長方式による監視制御情報と主信号重畳方式による監視制御情報を比較することにより、専用波長方式による監視制御情報の正常性を確認する。また、ＥＭＳ３１１−１および３１１−３はコントローラと１つの比較器を含み、ＥＭＳ３１１−２と同様に、専用波長方式による監視制御情報の正常性を確認する。
【００６５】
上記図３では、ＯＡＤＭノード装置の分岐用出力ポートと挿入用入力ポートとしてそれぞれ２ポートずつ有する場合を示したが、分岐用出力ポートおよび挿入用入力ポート共にそれぞれｎポートずつ有する場合がより一般的である。
【００６６】
次に、図４から図１１までを参照しながら、ＥＭＳによる監視制御情報の正常性確認方法をより具体的に説明する。
以下では、図２に示したＨＵＢノード装置２０２のＥＭＳ２１１−３の構成および動作を説明するが、他のＥＭＳにおいても同様にして実現可能である。また、ＨＵＢノード装置２０２は２入力２出力であるが、より一般的なＮ入力Ｎ出力の場合について説明する。監視制御情報の正常性確認方法としては、例えば、以下の３通りの方法が考えられる。
（１）確認方法１
専用波長方式による監視制御情報のフレームフォーマット中に、主信号重畳方式による監視制御情報と専用波長方式による監視制御情報の整合／不整合を示す部分を準備し、その情報を元に専用波長方式による監視制御情報の有効／無効を識別する。
（２）確認方法２
専用波長方式によりノード装置から出力される監視制御情報と、ノード装置出力側で検出された主信号重畳方式による監視制御情報とを比較することにより、専用波長方式による監視制御情報の有効／無効を識別する。
（３）確認方法３
ノード装置出力側で検出された主信号重畳方式による監視制御情報を元にして、専用波長方式による監視制御情報を出力する出力ポートを決定し、その出力ポートから専用波長方式による監視制御情報を出力する。
【００６７】
図４は、上述した確認方法１で用いられる、専用波長方式による監視制御情報のフレームフォーマットの例を示しており、図５は、確認方法１で用いられる、主信号重畳方式による監視制御情報のフレームフォーマットの例を示している。
【００６８】
専用波長方式による監視制御情報のフレームには、監視制御情報フレーム自身のフレーム同期バイト４０１、パストレースバイト４０２、オーダワイヤを記録するためのバイト４０３、ユーザチャネルを記録するためのバイト４０４、データチャネルを記録するためのバイト４０５、アラーム転送を記録するためのバイト４０６に続いて、ＷＤＭ信号に含まれる各波長パスの監視制御情報Ｘ１〜Ｘｎを、信号光波長の短波長側から長波長側という順序でシリアルに記録するバイトが含まれる。
【００６９】
波長番号ｋ（ｋ＝１，２，．．．，ｎ）の波長を有する波長パスの監視制御情報Ｘｋは、以下のバイトから構成される。
４０７：ネットワーク中で唯一固有に設定される波長パスＩＤ（ＷＰＩＤｋ）
４０８：クライアントフォーマットの種別（ＳＯＮＥＴ、ＳＤＨ、ＯＴＮ、Ethernet（登録商標）等）（ＰＴＹＰｋ）
４０９：波長パスの宛先ノードのアドレス（ＤＡＡＤｋ）
４１０：ＯＳＮＲ(光ＳＮ比)等の信号品質情報、通過ノードの履歴情報、障害アラーム情報のように、波長パスの運用中に時間の経過とともに書き換えを必要とする情報
４１１：主信号重畳方式による監視制御情報と専用波長方式による監視制御情報の整合／不整合を示す情報（ＣＣｋ）
ＣＣｋ＝０のとき、波長番号ｋの２つの監視制御情報が不整合であることを示し、ＣＣｋ＝１のとき、監視制御情報が整合していることを示す。
【００７０】
一方、主信号重畳方式による監視制御情報のフレームには、監視制御情報フレーム自身のフレーム同期バイト５０１の他に、以下のバイトが含まれる。
５０２：波長番号ｋの波長パスＩＤ（ＷＰＩＤｋ）
５０３：クライアントフォーマットの種別（ＰＴＹＰｋ）
５０４：波長パスの宛先ノードのアドレス（ＤＡＡＤｋ）
これらのバイトは、波長パス運用開始時に記録したまま書き換えの必要がなく、かつ、最小の情報のみを記録するバイトである。
【００７１】
図６は、確認方法１を採用した場合のＨＵＢノード装置の構成例を示している。図６のＨＵＢノード装置は、入力ポート＃１〜＃Ｎと出力ポート＃１〜＃Ｎを有し、ＥＭＳ６０１、光方路切替スイッチ６０２、デマルチプレクサ６０３−１〜６０３−Ｎ、光増幅器６０４−１〜６０４−Ｎ、６０６−１〜６０６−Ｎ、光カプラ６０５−１〜６０５−Ｎ、６０７−１〜６０７−Ｎ、マルチプレクサ６０８−１〜６０８−Ｎ、受信器（ＯＳＣ−Ｒ）６０９−１〜６０９−Ｎ、受信器（ＳＣ−Ｒｉ）６１０−１〜６１０−Ｎ、受信器（ＳＣ−Ｒｏ）６１１−１〜６１１−Ｎ、および送信器（ＯＳＣ−Ｓ）６１２−１〜６１２−Ｎを含む。
【００７２】
ＥＭＳ６０１は、コントローラ６２１、メモリ６２２、およびメモリ管理ユニット６２３、６２４を含む。メモリ６２２およびメモリ管理ユニット６２３、６２４は、図２の監視制御情報スイッチ部２４２に対応する。コントローラ６２１は、例えば、プロセッサに対応し、あらかじめ用意されたプログラムを実行することで、図２のコントローラ２４１および比較器２４３〜２４６の機能を実現する。
【００７３】
メモリ６２２内の領域６３１−１〜６３１−Ｎには、受信器６０９−１〜６０９−Ｎが受信した専用波長方式による監視制御情報が格納され、領域６３２−１〜６３２−Ｎには、送信器６１２−１〜６１２−Ｎから送信される専用波長方式による監視制御情報が格納される。また、領域６３３−１〜６３３−Ｎには、受信器６１１−１〜６１１−Ｎが受信した主信号重畳方式による監視制御情報が格納される。
【００７４】
図７は、図６のＥＭＳ６０１における監視制御情報の正常性確認処理（確認方法１）のフローチャートである。入力ポート＃ｍから入力された波長番号ｋ（波長λｋ）の信号光を出力ポート＃ｐから出力する場合を想定して、このフローチャートを説明する。
【００７５】
コントローラ６２１は、まず、受信器６０９−ｍからメモリ管理ユニット６２３に入力された、波長λｋの波長パスの専用波長方式による監視制御情報Ｘｋを、領域６３１−ｍ内の波長番号ｋのキュー（ＯＳＣ−Ｒ＃ｍ−λｋ）に格納する（ステップ７０１）。
【００７６】
次に、ＯＳＣ−Ｒ＃ｍ−λｋ内の監視制御情報ＸｋのＣＣｋバイトの値をチェックする（ステップ７０２）。ＣＣｋ＝０であれば、入力された監視制御情報Ｘｋは主信号重畳方式による監視制御情報と整合していないので、ステップ７０１以降の処理を繰り返す。
【００７７】
ＣＣｋ＝１であれば、監視制御情報Ｘｋは主信号重畳方式による監視制御情報と整合しているので、次に、受信器６１１−ｐからメモリ管理ユニット６２３に入力された、波長λｋの波長パスの主信号重畳方式による監視制御情報を、領域６３３−ｐ内の波長番号ｋのキュー（ＳＣ−Ｒｏ＃ｐ−λｋ）に格納する（ステップ７０３）。
【００７８】
次に、コントローラ６２１が保持している信号光の方路切替情報を参照して、ＯＳＣ−Ｒ＃ｍ−λｋ内の監視制御情報Ｘｋを、信号光が出力されるべき出力ポート＃ｐに対応する、領域６３２−ｐ内の波長番号ｋのキュー（ＯＳＣ−Ｓ＃ｐ−λｋ）にコピーする（ステップ７０４）。そして、ＯＳＣ−Ｓ＃ｐ−λｋ内の監視制御情報ＸｋのＣＣｋバイトを０に設定する。
【００７９】
次に、ＳＣ−Ｒｏ＃ｐ−λｋ内の監視制御情報のＷＰＩＤｋと、ＯＳＣ−Ｓ＃ｐ−λｋ内の監視制御情報ＸｋのＷＰＩＤｋを比較する（ステップ７０５）。両者が一致すれば、出力ポート＃ｐから出力される専用波長方式による監視制御情報Ｘｋと主信号重畳方式による監視制御情報が整合していることを示すために、ＯＳＣ−Ｓ＃ｐ−λｋ内の監視制御情報ＸｋのＣＣｋバイトを１に設定する（ステップ７０６）。
【００８０】
両者が一致しなければ、領域６３１−１〜６３１−Ｎ内のすべてのキューを対象として、ＳＣ−Ｒｏ＃ｐ−λｋ内のＷＰＩＤｋと一致する波長パスＩＤを有する監視制御情報を検索する（ステップ７０７）。そして、その監視制御情報をＸｋとしてＯＳＣ−Ｓ＃ｐ−λｋにコピーし、その監視制御情報ＸｋのＣＣｋバイトを０に設定して、ステップ７０５以降の処理を繰り返す。
【００８１】
このような正常性確認処理によれば、専用波長方式による監視制御情報と主信号重畳方式による監視制御情報が整合していなければ、ＣＣｋ＝０の監視制御情報がＯＳＣ−Ｓ＃ｐ−λｋからメモリ管理ユニット６２４を介して送信器６１２−ｐに出力される。そして、両者の整合性がとれた時点で、ＣＣｋ＝１の監視制御情報がＯＳＣ−Ｓ＃ｐ−λｋから送信器６１２−ｐに出力される。したがって、専用波長による監視制御情報の正常性を確認しながら、その有効／無効の情報を更新することができる。
【００８２】
図８は、上述した確認方法２で用いられる、専用波長方式による監視制御情報のフレームフォーマットの例を示している。このフレームは、図４のフレームにおいて監視制御情報Ｘｋを監視制御情報Ｙｋに置き換えた構成を有し、監視制御情報Ｙｋは、監視制御情報ＸｋからＣＣｋバイトを除いた構成を有する。
【００８３】
確認方法２では、主信号重畳方式による監視制御情報のフレームフォーマットは図５と同様であり、ＨＵＢノード装置の構成は図６と同様である。
図９は、図６のＥＭＳ６０１における監視制御情報の正常性確認処理（確認方法２）のフローチャートである。コントローラ６２１は、まず、出力ポート＃ｐに対応する領域６３２−ｐ内の波長番号ｋのキュー（ＯＳＣ−Ｓ＃ｐ−λｋ）に、無効を示す情報‘ｎｕｌｌ’を設定し、監視制御情報として送信器６１２−ｐに出力する（ステップ９０１）。これにより、監視制御情報‘ｎｕｌｌ’が専用波長方式により出力ポート＃ｐから送信される。
【００８４】
次に、受信器６０９−ｍからメモリ管理ユニット６２３に入力された、波長λｋの波長パスの専用波長方式による監視制御情報Ｙｋを、領域６３１−ｍ内の波長番号ｋのキュー（ＯＳＣ−Ｒ＃ｍ−λｋ）に格納する（ステップ９０２）。そして、方路切替情報を参照して、ＯＳＣ−Ｒ＃ｍ−λｋ内の監視制御情報ＹｋをＯＳＣ−Ｓ＃ｐ−λｋにコピーする。
【００８５】
次に、受信器６１１−ｐからメモリ管理ユニット６２３に入力された、波長λｋの波長パスの主信号重畳方式による監視制御情報を、領域６３３−ｐ内の波長番号ｋのキュー（ＳＣ−Ｒｏ＃ｐ−λｋ）に格納する（ステップ９０３）。
【００８６】
次に、ＳＣ−Ｒｏ＃ｐ−λｋ内の監視制御情報のＷＰＩＤｋと、ＯＳＣ−Ｓ＃ｐ−λｋ内の監視制御情報ＹｋのＷＰＩＤｋを比較する（ステップ９０４）。両者が一致すれば、ＯＳＣ−Ｓ＃ｐ−λｋ内の監視制御情報Ｙｋを送信器６１２−ｐに出力する（ステップ９０５）。これにより、主信号重畳方式による監視制御情報と整合している監視制御情報Ｙｋが、専用波長方式により出力ポート＃ｐから送信される。
【００８７】
両者が一致しなければ、ＯＳＣ−Ｓ＃ｐ−λｋに‘ｎｕｌｌ’を設定し、監視制御情報として送信器６１２−ｐに出力する（ステップ９０６）。これにより、監視制御情報‘ｎｕｌｌ’が専用波長方式により出力ポート＃ｐから送信される。なお、ステップ９０４においてＯＳＣ−Ｓ＃ｐ−λｋ内の監視制御情報が‘ｎｕｌｌ’である場合は、ＷＰＩＤｋが一致しないと判定される。
【００８８】
次に、領域６３１−１〜６３１−Ｎ内のすべてのキューを対象として、ＳＣ−Ｒｏ＃ｐ−λｋ内のＷＰＩＤｋと一致する波長パスＩＤを有する監視制御情報を検索する（ステップ９０７）。そして、その監視制御情報をＹｋとしてＯＳＣ−Ｓ＃ｐ−λｋにコピーし、ステップ９０４以降の処理を繰り返す。
【００８９】
このような正常性確認処理によれば、専用波長方式による監視制御情報と主信号重畳方式による監視制御情報が整合していなければ、‘ｎｕｌｌ’が送信器６１２−ｐに出力され、両者の整合性がとれた時点で監視制御情報Ｙｋが送信器６１２−ｐに出力される。したがって、専用波長による監視制御情報の正常性を確認しながら、有効な監視制御情報Ｙｋを次のノード装置に送信することができる。
【００９０】
次に、上述した確認方法３について説明する。確認方法３では、専用波長による監視制御情報のフレームフォーマットは図８と同様であり、主信号重畳方式による監視制御情報のフレームフォーマットは図５と同様である。
【００９１】
図１０は、確認方法３を採用した場合のＨＵＢノード装置の構成例を示している。図１０のＨＵＢノード装置は、図６のＨＵＢノード装置と同様の構成を有し、メモリ６２２内に領域６３４−１〜６３４−Ｎが追加されている。領域６３４−１〜６３４−Ｎには、受信器６１０−１〜６１０−Ｎが受信した主信号重畳方式による監視制御情報が格納される。
【００９２】
図１１は、図１０のＥＭＳ６０１における監視制御情報の正常性確認処理（確認方法３）のフローチャートである。コントローラ６２１は、まず、出力ポート＃ｐに対応する領域６３２−ｐ内の波長番号ｋのキュー（ＯＳＣ−Ｓ＃ｐ−λｋ）に、無効を示す情報‘ｎｕｌｌ’を設定し、監視制御情報として送信器６１２−ｐに出力する（ステップ１１０１）。これにより、監視制御情報‘ｎｕｌｌ’が専用波長方式により出力ポート＃ｐから送信される。
【００９３】
次に、受信器６０９−ｍからメモリ管理ユニット６２３に入力された、波長λｋの波長パスの専用波長方式による監視制御情報Ｙｋを、領域６３１−ｍ内の波長番号ｋのキュー（ＯＳＣ−Ｒ＃ｍ−λｋ）に格納する（ステップ１１０２）。
【００９４】
次に、受信器６１０−ｍからメモリ管理ユニット６２３に入力された、波長λｋの波長パスの主信号重畳方式による監視制御情報を、領域６３４−ｍ内の波長番号ｋのキュー（ＳＣ−Ｒｉ＃ｍ−λｋ）に格納する（ステップ１１０３）。
【００９５】
次に、方路切替情報を参照して、出力ポート＃ｐに対応する受信器６１１−ｐからメモリ管理ユニット６２３に入力された、波長λｋの波長パスの主信号重畳方式による監視制御情報を、領域６３３−ｐ内の波長番号ｋのキュー（ＳＣ−Ｒｏ＃ｐ−λｋ）に格納する（ステップ１１０４）。
【００９６】
そして、ＳＣ−Ｒｉ＃ｍ−λｋ内の監視制御情報のＷＰＩＤｋと、ＳＣ−Ｒｏ＃ｐ−λｋ内の監視制御情報のＷＰＩＤｋを比較する（ステップ１１０５）。両者が一致すれば、ＯＳＣ−Ｒ＃ｍ−λｋ内の監視制御情報ＹｋをＯＳＣ−Ｓ＃ｐ−λｋにコピーし、ＯＳＣ−Ｓ＃ｐ−λｋ内の監視制御情報Ｙｋを送信器６１２−ｐに出力する（ステップ１１０６）。
【００９７】
これにより、主信号重畳方式による監視制御情報とともに入力された監視制御情報Ｙｋが、主信号重畳方式による監視制御情報が出力ポート＃ｐから送信されるタイミングで、専用波長方式により出力ポート＃ｐから送信される。したがって、主信号重畳方式による監視制御情報と整合している監視制御情報Ｙｋが、専用波長方式により出力ポート＃ｐから送信される。
【００９８】
両者が一致しなければ、ＯＳＣ−Ｓ＃ｐ−λｋに‘ｎｕｌｌ’を設定し、監視制御情報として送信器６１２−ｐに出力する（ステップ１１０７）。これにより、監視制御情報‘ｎｕｌｌ’が専用波長方式により出力ポート＃ｐから送信される。
【００９９】
次に、入力ポート＃ｍから入力された、波長λｋの波長パスの信号光が出力ポート＃ｐの方路へ出力されるように、光方路切替スイッチ６０２を再設定して（ステップ１１０８）、ステップ１１０４以降の処理を繰り返す。
【０１００】
このような正常性確認処理によれば、光方路切替スイッチ６０２の入力側の主信号重畳方式による監視制御情報と、出力側の主信号重畳方式による監視制御情報が一致していなければ、‘ｎｕｌｌ’が送信器６１２−ｐに出力され、両者が一致した時点で監視制御情報Ｙｋが送信器６１２−ｐに出力される。したがって、専用波長による監視制御情報Ｙｋに対応する信号光が送信されたことを確認した上で、その監視制御情報Ｙｋを送信することができる。
【０１０１】
図１２は、従来の専用波長方式および主信号重畳方式と、本発明の監視制御情報転送方式の比較を示している。図１２の‘○’は優れている点を示し、‘×’は劣っている点を示している。
【０１０２】
専用波長方式では、信号光と監視制御情報の波長が異なるので、監視制御情報が光主信号と１対１に対応しない。この場合、特にＨＵＢノード装置における信号光の光方路切替時に、対応する監視制御情報の付け替え作業が煩雑となり、監視制御情報の信頼性を低下させる。
【０１０３】
主信号重畳方式では、その特性上、監視制御情報のビットレートが低くなる。例えば、光主信号のビットレートが１０Ｇｂｐｓであり、監視制御情報のビットレートがそれより８桁低い場合は、監視制御情報のビットレートは高々１００ｂｐｓ程度となる。このため、波長パスＩＤ、宛先ノードのアドレス、クライアントフォーマットの種別、信号品質情報等の多くの情報を転送するには不十分である。また、波長パスの経路途中での監視制御情報の更新が難しい。
【０１０４】
これに対して、本発明の転送方式では、これらの２つの転送方式を組み合わせ、主信号重畳方式による監視制御情報の一部を用いて専用波長方式による監視制御情報の正常性を確認する方法を採用している。このため、監視制御情報のビットレートを高く保持したままで、監視制御情報を光主信号と１対１に対応させることができ、さらに波長パスの経路途中で監視制御情報を容易に更新することができる。したがって、信頼性、高速性、および柔軟性に優れた監視制御情報の転送が実現される。
【０１０５】
上述の実施形態では、主としてＨＵＢノード装置における監視制御情報の正常性確認方法について説明したが、送信端局装置、受信端局装置、ＯＡＤＭノード装置、光増幅中継装置等の他のノード装置においても、同様の方法により監視制御情報の正常性が確認される。
【０１０６】
（付記１）  複数の入力ポートと複数の出力ポートを有し、該複数の入力ポートのうちの１つから入力された信号光を該複数の出力ポートのうちの１つから出力するノード装置であって、
入力ポートから信号光とともに入力される、該信号光とは異なる専用波長の監視制御情報を受信する受信手段と、
出力ポートから出力される信号光から、該信号光の光主信号に重畳された情報を抽出する抽出手段と、
抽出された情報を用いて、前記出力される信号光と監視制御情報が対応しているか否かを確認し、該出力される信号光と対応している監視制御情報を出力する制御手段と、
前記制御手段から出力された監視制御情報を、前記専用波長で前記出力ポートから送信する送信手段と
を備えることを特徴とするノード装置。
（付記２）  前記制御手段は、前記抽出された情報と監視制御情報を比較して、前記出力される信号光と該監視制御情報が対応しているか否かを確認し、該信号光と該監視制御情報が対応していれば、該監視制御情報を前記送信手段に出力することを特徴とする付記１記載のノード装置。
（付記４）  前記入力ポートから入力される監視制御情報は、入力される信号光と該監視制御情報が対応しているか否かを示す整合情報を含み、前記制御手段は、該整合情報が該入力される信号光と該監視制御情報が対応していることを示すとき、該監視制御情報を前記抽出された情報と比較することを特徴とする付記２記載のノード装置。
（付記３）  前記制御手段は、前記信号光と前記監視制御情報が対応していなければ、該信号光に対応している監視制御情報を検索して前記送信手段に出力することを特徴とする付記２記載のノード装置。
（付記５）  前記制御手段は、前記信号光と前記監視制御情報が対応していなければ、無効情報を前記送信手段に出力した後に、該信号光に対応している監視制御情報を検索して該送信手段に出力し、該送信手段は、該無効情報を前記出力ポートから送信した後に、検索された監視制御情報を該出力ポートから送信することを特徴とする付記２記載のノード装置。
（付記６）  前記入力ポートから入力される信号光から、該信号光の光主信号に重畳された情報を抽出する抽出手段をさらに備え、前記制御手段は、該入力される信号光から抽出された情報と前記出力される信号光から抽出された情報を比較して、該出力される信号光と前記監視制御情報が対応しているか否かを確認し、該信号光と該監視制御情報が対応していれば、該監視制御情報を前記送信手段に出力することを特徴とする付記１記載のノード装置。
（付記７）  前記制御手段は、前記信号光と前記監視制御情報が対応していなければ、無効情報を前記送信手段に出力し、該送信手段は、該無効情報を前記出力ポートから送信することを特徴とする付記６記載のノード装置。
（付記８）  信号光の監視制御情報と、該信号光と該監視制御情報が対応しているか否かを確認するための情報とを生成する生成手段と、
前記監視制御情報を前記信号光とは異なる専用波長で出力ポートから送信する第１の送信手段と、
前記信号光の光主信号に前記確認するための情報を重畳して、前記出力ポートから送信する第２の送信手段と
を備えることを特徴とするノード装置。
（付記９）  入力ポートから信号光とともに入力される、該信号光とは異なる専用波長の監視制御情報を受信する第１の受信手段と、
前記入力ポートから入力される信号光から、該信号光の光主信号に重畳された情報を抽出する抽出手段と、
抽出された情報を用いて、前記信号光と前記監視制御情報が対応しているか否かを確認する確認手段と
を備えることを特徴とするノード装置。
（付記１０）  複数の入力ポートのうちの１つから入力された信号光を、複数の出力ポートのうちの１つに対応する方路へ出力する光スイッチ手段と、
前記複数の入力ポートのそれぞれから信号光とともに入力される、該信号光とは異なる専用波長の監視制御情報を受信する複数の受信手段と、
前記複数の出力ポートのそれぞれから出力される信号光から、該信号光の光主信号に重畳された情報を抽出する複数の抽出手段と、
監視制御情報を前記専用波長で前記複数の出力ポートのそれぞれから送信する複数の送信手段と、
抽出された情報を用いて、前記出力される信号光と監視制御情報が対応しているか否かを確認し、該出力される信号光と対応している監視制御情報を、該信号光の出力ポートに対応する送信手段に出力する制御手段と
を備えることを特徴とするノード装置。
（付記１１）  信号光の監視制御情報と、該信号光と該監視制御情報が対応しているか否かを確認するための情報とを生成し、
前記監視制御情報を前記信号光とは異なる専用波長で送信するとともに、該信号光の光主信号に前記確認するための情報を重畳して送信し、
送信された信号光から前記光主信号に重畳された情報を抽出し、
抽出された情報を用いて、前記信号光と前記監視制御情報が対応しているか否かを確認する
ことを特徴とする監視制御情報転送方法。
【図面の簡単な説明】
【０１０７】
【図１】本発明のノード装置の原理図である。
【図２】第１のフォトニックネットワークシステムを示す図である。
【図３】第２のフォトニックネットワークシステムを示す図である。
【図４】専用波長方式による第１の監視制御情報を示す図である。
【図５】主信号重畳方式による監視制御情報を示す図である。
【図６】第１のＨＵＢノード装置の構成図である。
【図７】第１の正常性確認処理のフローチャートである。
【図８】専用波長方式による第２の監視制御情報を示す図である。
【図９】第２の正常性確認処理のフローチャートである。
【図１０】第２のＨＵＢノード装置の構成図である。
【図１１】第３の正常性確認処理のフローチャートである。
【図１２】従来の方式と本発明の方式の比較を示す図である。
【図１３】従来の専用波長方式を示す図である。
【図１４】従来の主信号重畳方式を示す図である。
【符号の説明】
【０１０８】
１１−１、１１−２、５１−１、５１−２、２０１−１、２０１−２、３０１  送信端局装置
１２、５２、２０２、３０２  ＨＵＢノード装置
１３−１、１３−２、５３−１、５３−２、２０３−１、２０３−２、３０３  受信端局装置
２１−１、２１−２、２１−３、２１−４、２１−５、６１−１、６１−２、６１−３、６１−４、６１−５、２１１−１、２１１−２、２１１−３、２１１−４、２１１−５、３１１−１、３１１−２、３１１−３、６０１  ＥＭＳ
２２−１、２２−２、２２−３、２２−４、２１２−１、２１２−２、２１２−３、２１２−４、３１２−１、３１２−２、６１２−１、６１２−Ｎ  ＯＳＣ−Ｓ
２３−１、２３−２、２３−３、２３−４、２１８−１、２１８−２、２１８−３、２１８−４、３１８−１、３１８−２、６０９−１、６０９−Ｎ  ＯＳＣ−Ｒ
２４、６５、２２２、６０２  光方路切替スイッチ
３１、３２、７１、７２、２５１、２５２  信号光
３３、３４、７３、７４、２５３、２５４  監視制御情報
６２−１、６２−２、２３１−１、２３１−ｎ、２３２−１、２３２−ｎ、３３１−１、３３１−ｎ、３３２−１、３３２−２  ＳＣＭ
６３−１、６３−２、６３−３、６３−４、２１３−１、２１３−２、２１３−３、２１３−４、３１３−１、３１３−２、３１３−３、３１３−４、６１１−１、６１１−Ｎ  ＳＣ−Ｒｏ
６４−１、６４−２、６４−３、６４−４、２１９−１、２１９−２、２１９−３、２１９−４、３１９−１、３１９−２、６１０−１、６１０−Ｎ  ＳＣ−Ｒｉ
２１４−１、２１４−２、２１７−１、２１７−２、２１７−３、２１７−４、３１７−１、３１７−２、６０８−１、６０８−Ｎ  マルチプレクサ
２１５−１、２１５−２、２１５−３、２１５−４、２１５−５、２１５−６、２１５−７、２１５−８、３１５−１、３１５−２、３１５−３、３１５−４、６０４−１、６０４−Ｎ、６０６−１、６０６−Ｎ  光増幅器
２１６−１、２１６−２、２１６−３、２１６−４、２１６−５、２１６−６、２１６−７、２１６−８、３１６−１、３１６−２、３１６−３、３１６−４、３１６−５、３１６−６、６０５−１、６０５−Ｎ、６０７−１、６０７−Ｎ  光カプラ
２２０−１、２２０−２、２２０−３、２２０−４、２２１−１、２２１−２、３２０−１、３２０−２、３２１、６０３−１、６０３−Ｎ  デマルチプレクサ
２４１、３４１、６２１  コントローラ
２４２、３４２  監視制御情報スイッチ部
２４３、２４４、２４５、２４６、３４３、３４４  比較器
３２２  光分岐挿入スイッチ
４０１、５０１  フレーム同期
４０２  パストレース
４０３  オーダワイヤ
４０４  ユーザチャネル
４０５  データチャネル
４０６  アラーム転送
４０７、５０２  波長パスＩＤ
４０８、５０３  クライアントフォーマットの種別
４０９、５０４  宛先ノードのアドレス
４１０  書き換えを必要とする情報
４１１  整合／不整合を示す情報
６２２  メモリ
６２３、６２４  メモリ管理ユニット
６３１−１、６３１−Ｎ、６３２−１、６３２−Ｎ、６３３−１、６３３−Ｎ、６３４−１、６３４−Ｎ  領域
【図１】
2006262385.tif 000003
【図２】
2006262385.tif 000004
【図３】
2006262385.tif 000005
【図４】
2006262385.tif 000006
【図５】
2006262385.tif 000007
【図６】
2006262385.tif 000008
【図７】
2006262385.tif 000009
【図８】
2006262385.tif 000010
【図９】
2006262385.tif 000011
【図１０】
2006262385.tif 000012
【図１１】
2006262385.tif 000013
【図１２】
2006262385.tif 000014
【図１３】
2006262385.tif 000015
【図１４】
2006262385.tif 000016